(57)【特許請求の範囲】
【請求項１】
基板の下方に水平に配置された坩堝と、当該坩堝の下方に配置した電子銃から照射される加速した電子を坩堝内に導く偏向用磁石と、当該偏向用磁石に導かれて坩堝に入射した電子ビームにより発生する反射電子の軌道を含む坩堝近傍の電子の軌道を制御するポールピースと、前記基板と坩堝間に、前記基板と平行な位置に磁場を形成して反射電子による基板へのダメージを防止する反射電子遮蔽用磁場を形成する磁石を有し、前記坩堝内に導かれた電子により前記坩堝内に装入した材料を加熱して蒸発させ、前記基板の表面に付着させて薄膜を形成する電子ビーム蒸着装置において、
少なくとも前記坩堝内の材料に照射する電子を所定の電圧で加速する電子銃と、この電子銃より照射された電子ビームを前記坩堝内に導く偏向用磁石を、この偏向用磁石が基板から離反するように、前記水平状態の坩堝に対して傾斜配置し、斜め上方から坩堝内の材料に電子を照射すべく構成したことを特徴とする電子ビーム蒸着装置。
【請求項２】
前記電子銃と、前記偏向用磁石は、坩堝への電子ビームの入射角が３０〜４５°の範囲内となるように傾斜させることを特徴とする請求項１に記載の電子ビーム蒸着装置。
【請求項３】
前記基板が、坩堝内の材料面に対して傾斜保持されていることを特徴とする請求項１又は２に記載の電子ビーム蒸着装置。
【請求項４】
請求項１〜３の何れかに記載の電子ビーム蒸着装置を、基板の蒸着範囲の中心から降ろした鉛直線に対して線対称の位置に２台配置したことを特徴とする電子ビーム蒸着装置。
【発明の詳細な説明】
【技術分野】
【０００１】
本発明は、電子ビームをるつぼ内の材料に照射して、加熱蒸発させる電子ビーム蒸着装置に関するものである。
【背景技術】
【０００２】
電子ビームを用いた蒸着装置は、所定の電圧で加速された電子を、真空容器内に配置した坩堝内の材料に上方から垂直に照射し加熱することで蒸発させ、この蒸発した材料を真空容器内に配置した基板の表面に付着させて薄膜を形成するものである。
【０００３】
この蒸着装置を構成する蒸発部１は、従来は、電子銃２、偏向用磁石３、ポールピース４、坩堝５等の構成要素を、図６に示すように水平に設置し、坩堝５内の材料６を上方向に蒸発させていた。一方、蒸発部１の上方に配置する基板７は、表面を下方に向けた状態で水平方向に保持していた。以下、表面を下方に向けた状態をフェイスダウンの状態という。なお、図６中の６ａは坩堝５から蒸発した蒸発材料を示す。
【０００４】
この電子ビーム蒸着装置は、多種類の材料に対して高速度の成膜が行えるので、多用途で使用されている。
【０００５】
ところで、近年、さらなる高速の成膜ニーズが高まっており、電子ビーム蒸着においても抵抗加熱蒸着と同様に、基板と坩堝との距離（Ｔ／Ｓ）を短縮させた近接蒸着の必要性が出てきた。
【０００６】
しかしながら、電子ビーム蒸着の場合、成膜速度を速くするために、坩堝を基板に近づけると、電子ビーム、または電子ビームから散乱する電子により成膜部にダメージが入り易くなる。散乱する電子が成膜部に至らないように、反射電子遮蔽用の磁石８を基板７と坩堝５の間に設置した場合は（図６参照）、この磁石８が電子ビームを坩堝５内に導く偏向用磁石３と干渉し、電子ビームを精度よく坩堝に導くことが難しいという問題が生じる。
【先行技術文献】
【特許文献】
【０００７】
【特許文献１】特開平７−２１１６４１号公報
【発明の概要】
【発明が解決しようとする課題】
【０００８】
本発明が解決しようとする問題点は、電子ビーム蒸着の場合、坩堝に基板を近づけると、電子ビーム、または電子ビームから散乱される電子により成膜部にダメージが入り易くなるという点である。また、反射電子遮蔽用の磁石を基板と坩堝の間に設置した場合、電子ビームを精度よく坩堝内に導くことが難しいという点である。
【課題を解決するための手段】
【０００９】
本発明の電子ビーム蒸着装置は、
坩堝を基板に近づけても、成膜部にダメージが入り難く、また、反射電子遮蔽用の磁石を基板と坩堝の間に設置しても、この磁石が電子ビームを坩堝内に導く偏向用磁石と干渉して電子ビームを曲げることがないようにするために、
基板の下方に水平に配置された坩堝と、当該坩堝の下方に配置した電子銃から照射される加速した電子を坩堝内に導く偏向用磁石と、当該偏向用磁石に導かれて坩堝に入射した電子ビームにより発生する反射電子の軌道を含む坩堝近傍の電子の軌道を制御するポールピースと、前記基板と坩堝間に、前記基板と平行な位置に磁場を形成して反射電子による基板へのダメージを防止する反射電子遮蔽用磁場を形成する磁石を有し、前記坩堝内に導かれた電子により前記坩堝内に装入した材料を加熱して蒸発させ、前記基板の表面に付着させて薄膜を形成する電子ビーム蒸着装置において、
少なくとも前記坩堝内の材料に照射する電子を所定の電圧で加速する電子銃と、この電子銃より照射された電子ビームを前記坩堝内に導く偏向用磁石を、この偏向用磁石が基板から離反するように、前記水平状態の坩堝に対して傾斜配置し、斜め上方から坩堝内の材料に電子を照射すべく構成したことを最も主要な特徴としている。
【００１０】
本発明の電子ビーム蒸着装置は、電子銃と偏向用磁石を、偏向用磁石が基板から離反するように、水平状態の坩堝に対して傾斜配置するので、近接蒸着の問題点が解決し、近接蒸着が可能になる。
【発明の効果】
【００１１】
本発明では、近接蒸着が可能となるので、さらなる高速の成膜ニーズに対応できるようになる。その際、巻き出しロールに巻き取られた基板を、ロールを介して巻き取りロールに巻き取ることにより移動させるようにすれば、より高速での成膜が可能になる。
【図面の簡単な説明】
【００１２】
【図１】第１の本発明の電子ビーム蒸着装置の概略構成を示した図である。
【図２】第２の本発明の電子ビーム蒸着装置の例概略構成を示した図である。
【図３】第３の本発明の電子ビーム蒸着装置の概略構成を示した図である。
【図４】第４の本発明の電子ビーム蒸着装置の概略構成を示した図である。
【図５】坩堝内の材料に照射された後の反射電子や軌道をそれた電子を遮蔽する磁場を形成する格子状に設置する複数の磁石の設置態様を説明する図である。
【図６】従来の電子ビーム蒸着装置の概略構成を示した図である。
【発明を実施するための形態】
【００１３】
本発明では、坩堝を基板に近づけても、成膜部にダメージが入り難く、また、反射電子遮蔽用の磁石を基板と坩堝の間に設置しても、この磁石が電子ビームを坩堝内に導く偏向用磁石と干渉し、電子ビームを曲げることがないようにするという課題を解決するものである。
【００１４】
そして、前記課題を、少なくとも電子銃と電子ビームを坩堝内に導く偏向用磁石を、偏向用磁石が基板（反射電子遮蔽用磁石）から離反するように、水平状態の坩堝に対して傾斜配置し、斜め上方から坩堝内の材料に電子を照射することで実現した。
【実施例】
【００１５】
以下、本発明を実施するための形態を、添付図面を用いて詳細に説明する。
本発明の電子ビーム蒸着装置は、溶融材料を使用する場合は、例えば図１或いは図２に示したような構成を有している。
【００１６】
図１及び図２において、１１は真空容器の内部下方に配置された材料１２の蒸発部である。この蒸発部１１は、電子ビーム源である電子銃１３と、電子銃１３より放出された電子の衝突により加熱蒸発する前記材料１２を装入する坩堝１４と、坩堝１４近傍における電子軌道を制御（例えば、坩堝１４への電子ビーム入射により発生する反射電子の飛散方向を制御する等）するための磁石を有するポールピース１５と、電子銃１３より放出された電子ビームの進路を曲げて、接地電位である坩堝１４内に導くための偏向用磁石１６とから構成されている。
【００１７】
本発明では、少なくとも電子を放出して坩堝１４に導くための、電子銃１３、偏向用磁石１６を、この偏向用磁石１６が基板１７から離反するように、水平状態の坩堝１４に対して傾斜配置し、斜め上方から坩堝１４内の材料１２に電子を照射するようにしたことが特徴である。
【００１８】
この場合、図１及び図２に示したように、坩堝１４をポールピース１５よりも上方に配置しておけば、蒸発材料１２ａのポールピース１５への付着量を減少することができ、成膜歩留りが向上する。
【００１９】
このような構成の本発明では、成膜に要する速度を速くするために、坩堝１４を基板１７に近づけても、電子ビームの軌道と基板１７との相対距離は従来に比べて大きくなるので、電子ビーム、または電子ビームから散乱される電子により成膜部にダメージが入り難くなる。
【００２０】
また、図１や図２に示したように、反射電子遮蔽用の磁石１８を基板１７と坩堝１４の間に設置しても、同様の理由により、この磁石１８が電子ビームを坩堝１４内に導く、偏向用磁石１６と干渉し、電子ビームを曲げることがない。
【００２１】
前記反射電子遮蔽用の磁石１８は、基板１７と平行な位置に磁場を形成し、反射電子等による基板１７へのダメージを防止するもので、基板１７に近い位置で、成膜に支障のない位置に設置される。この反射電子遮蔽用の磁石１８は、基板１７に所定の間隔を存した格子状となるように複数設置すると、さらに坩堝１４を基板１７（反射電子遮蔽用の磁石１８）側に近接して配置できる。
【００２２】
これら格子状に複数設置する反射電子遮蔽用の磁石１８は、基板１７に近づけ、基板１７と略平行に（図３の例では冷却ロール２４の曲面に沿うように）配置すれば、シャドウが少なくなり、蒸着速度が向上するので望ましい。
【００２３】
また、坩堝１４内の材料１２に照射された後の反射電子や軌道をそれた電子が成膜範囲に入射することを抑制できる磁場を形成するためには、格子状に設置した複数の磁石１８間の磁束密度としては６mT以上、１０mT以下になるようにする。但し、かかる磁場を形成できるものであれば、永久磁石でも電磁石でも良い。また、材質は、フェライト、サマリウムコバルト、ネオジウム等、何れでも良い。
【００２４】
上記構成の本発明の電子ビーム蒸着装置のように、格子状に設置した複数の磁石１８によって坩堝１４内の材料１２に照射された後の反射電子や軌道をそれた電子を遮蔽する磁場を形成したときは、図５に示すように、成膜範囲を広く（例えば３５０mm）した場合にも、格子状に設置した各々の磁石１８の磁場強度を低減することができる。
【００２５】
ところで、電子ビーム蒸着装置において、電子銃１３、偏向用磁石１６の、水平状態の坩堝１４と平行な基板１７に対する傾斜角度θ1は、坩堝１４への電子の入射角αが３０〜４５°の範囲内となるように傾斜させることが望ましい。
【００２６】
なお、前記電子銃１３からの坩堝１４（材料１２の表面）までの電子ビームの偏向角は特に限定されないが、電子銃１３が蒸着材料や粉塵等の影響を受けず、かつ、電子ビームの偏向角の制御が可能な範囲として、２２５°〜３１５°が好ましい。
【００２７】
坩堝１４への電子の入射角αが３０°未満の場合は、坩堝１４内の材料１２の加熱作用が弱くなって蒸発量が少なくなり、近接蒸着のメリットがなくなるからである。また、坩堝１４への電子の入射角αが４５°を超える場合は、反射電子遮蔽用の磁石１８が電子ビームを坩堝１４内に導く、偏向用磁石１６と干渉するようになるからである。
【００２８】
一方、例えば図２に示したように、基板１７を電子銃１３と偏向用磁石１６の傾斜と逆方向に、５〜１５°傾斜させて保持しても良い。
【００２９】
この基板１７の傾斜角度θ2は５〜１５°の範囲に限定されるものではないが、５°未満では、基板１７の傾斜による、高速成膜の効果が得られず、１５°を超えると膜厚分布が不均一となるので、５〜１５°の範囲とすることが望ましい。
【００３０】
このように、基板１７を電子銃１３と偏向用磁石１６の傾斜と逆方向に、傾斜させる場合は、偏向用磁石１６と反射電子遮蔽用の磁石１８との距離がより大きくなるので、坩堝１４をより基板１７に近づけることができる。
【００３１】
また、例えば図３に示すように、基板１７を巻き出しロール２１に巻き取っておき、アイドルロール２２、張力制御ロール２３を経て冷却ロール２４に巻き回した後、張力制御ロール２３、アイドルロール２２を経て巻き取りロール２５に巻き取るようにすれば、より高速での成膜が可能になる。
【００３２】
その際、図４に示すように、図３に示した電子ビーム蒸着装置を、冷却ロール２４の中心から降ろした鉛直線に対して線対称の位置に２台配置すれば、更なる高速で成膜することが可能になる。
【００３３】
ちなみに、図１及び図２に示した本発明の電子ビーム蒸着装置と、図６に示した従来の電子ビーム蒸着装置を使用して、以下の条件で坩堝直上の蒸着速度を測定したところ、図１の装置では４０nm／秒、図２の装置では８０nm／秒、図６の装置では１０nm／秒であった。
【００３４】
これにより、本発明によれば、近接蒸着が可能になって更なる高速での成膜が行えるようになることが分かった。
【００３５】
（蒸着条件）
・加速電圧：２kV
・エミッション電流：３００mA
・ビーム偏向角：２７０°
・坩堝と基板間の距離（Ｔ／Ｓ）：図１は２００mm、図２は１５０mm、図６は４００mm
【００３６】
本発明は、前記の例に限るものではなく、各請求項に記載の技術的思想の範疇であれば、適宜実施の形態を変更しても良いことは言うまでもない。
【００３７】
例えば、図１〜図４では坩堝１４をポールピース１５より上方の位置に配置しているが、蒸発材料１２ａのポールピース１５への付着量の成膜速度に与える影響が問題にならないのであれば、坩堝１４をポールピース１５より下方の位置に配置してもよい。
【００３８】
また、蒸発部１１（偏向用磁石１６）は、図１〜４のように紙面左右側への傾斜に限らず、例えば、紙面手前、奥側に傾斜するように配置してもよい。
【符号の説明】
【００３９】
１１    蒸発部
１２    材料
１３    電子銃
１４    坩堝
１６    偏向用磁石
１７    基板
１８    磁石
２１    巻き出しロール
２４    冷却ロール
２５    巻き取りロール
【図１】
0006017796.tif 000002
【図２】
0006017796.tif 000003
【図３】
0006017796.tif 000004
【図４】
0006017796.tif 000005
【図５】
0006017796.tif 000006
【図６】
0006017796.tif 000007